(57)【要約】【課題】義歯を取り外すために義歯に設けられる孔を可及的に小さくでき、審美性の低下を抑えた可撤去性義歯構造を提供する。【解決手段】人工歯根３に装着されたテーパー状の支台４と、支台４に着脱可能に被せられ内部がテーパー状に形成された冠体５と、冠体５に装着された義歯６と、義歯６および冠体５の側面に形成されたピン孔７と、ピン孔７に差し入れたピン８の先端８ａの歯根側部分８ｂが接するように、支台４に形成されたピン接触部９とを有する。支台４のテーパー状の外面と冠体５のテーパー状の内面との間の楔効果による摩擦力によって、冠体５が支台４に固定される。ピン孔７にピン８を押し込んで、ピン先端８ａの歯根側部分８ｂを支台４のピン接触部９に押し付け、ピン先端８ａがピン接触部９から受ける反力によってピン８がピン孔を押し上げ、冠体５が支台４の先端側に移動される。【選択図】図２
2017184934.tif 000002
【特許請求の範囲】
【請求項１】
人工または天然の歯根に装着され、根元から先端に向けて細くテーパー状に形成された支台と、
該支台に着脱可能に被せられ、内部が前記支台の形状に合わせてテーパー状に形成された冠体と、
該冠体に装着された義歯と、
該義歯および前記冠体の側面に、前記冠体の内部と連通するように形成されたピン孔と、
該ピン孔に差し入れたピンの先端の歯根側部分が接するように、前記支台に形成されたピン接触部とを有し、
前記冠体が前記支台に被さった状態で前記義歯に噛み力が加わることで、前記冠体のテーパー状の内面が前記支台のテーパー状の外面に押し付けられ、これら外面と内面との間の楔効果による摩擦力によって前記冠体が前記支台に固定され、
その状態で、前記ピン孔に前記ピンを押し込んで、ピン先端の歯根側部分を前記支台のピン接触部に押し付け、前記ピンがピン接触部から受ける反力によって前記ピンが前記ピン孔を押し上げ、前記冠体が前記支台の先端側に移動される、
ことを特徴とする可撤去性義歯構造。
【請求項２】
前記冠体の材質が、前記支台の材質よりも軟らかい、ことを特徴とする請求項１に記載の可撤去性義歯構造。
【請求項３】
前記ピン接触部が、曲面状又はテーパー状に形成された、ことを特徴とする請求項１又は２に記載の可撤去性義歯構造。
【請求項４】
前記ピン接触部が、前記支台の頂面に形成された、ことを特徴とする請求項１から３の何れか１項に記載の可撤去性義歯構造。
【請求項５】
前記冠体が前記支台に正規位置まで深く被さった状態のとき、前記支台の頂面に、前記冠体の内部天井面に接する台部を形成した、ことを特徴とする請求項１から４の何れか１項に記載の可撤去性義歯構造。
【発明の詳細な説明】
【技術分野】
【０００１】
本発明は、義歯を容易に着脱できる可撤去性義歯構造に関する。
【背景技術】
【０００２】
患者の欠損歯を人工的に復元する技術として、デンタルインプラント（以下インプラント）が知られている。インプラントは、患者の顎の歯槽骨にフィクスチャー（人工歯根）を埋め込み、フィクスチャーにアバットメント（支台）を介して人工歯（義歯）を装着することで、欠損歯を復元する手法である。かかるインプラントにおいては、メンテナンスのため、定期的に義歯を支台から取り外す必要がある。
【０００３】
従来、義歯を支台から取り外す構造として、特許文献１に、支台（アバットメント）の側部に穴を形成し、支台に被さる義歯（上部構造物）に窓を形成し、治具のシャフトの先端を穴に挿入してシャフトに設けたカムを窓の縁に当接させ、その状態でシャフトを回転させることで、カムによって窓の縁を押し上げ、義歯を支台から取り外すようにしたものが開示されている。
【０００４】
また、特許文献２に、カムの代わりに楕円シャフトを用い、楕円の長径と短径との差を利用して、窓の縁を押し上げるようにしたものが開示されている。
【先行技術文献】
【特許文献】
【０００５】
【特許文献１】特開２００２−１５３４９３号公報
【特許文献２】特開２０１４−１９３２６２号公報
【発明の概要】
【発明が解決しようとする課題】
【０００６】
ところで、文献１に記載された構造においては、カムの山の低い部分と高い部分との高さ差を利用して義歯に形成された窓の縁を押し上げるようにしているため、窓の大きさは、少なくともカムを内包する大きさにする必要がある。よって、窓を、シャフトではなくカムの大きさに応じて、或る程度大きく形成せざるを得ない。義歯に大きな窓を設けることは、それを充填剤で埋めたとしても、審美性の点で好ましいとは言えない。
【０００７】
文献２においては、カムの代わりに楕円シャフトを用いており、楕円の長径と短径との差を利用して窓の縁を押し上げるようにしているため、窓の大きさは、少なくとも楕円の長径を内包する大きさにする必要がある。よって、窓を、楕円の短径ではなく長径の大きさに応じて或る程度大きくせざるを得ず、同様に、審美性の点に改善の余地がある。
【０００８】
以上の事情を考慮して創案された本発明の目的は、義歯を取り外すために義歯に設けられる孔を可及的に小さくでき、審美性の低下を抑えた可撤去性義歯構造を提供することにある。
【課題を解決するための手段】
【０００９】
上記目的を達成すべく創案された本発明によれば、人工または天然の歯根に装着され、根元から先端に向けて細くテーパー状に形成された支台と、支台に着脱可能に被せられ、内部が支台の形状に合わせてテーパー状に形成された冠体と、冠体に装着された義歯と、義歯および冠体の側面に、冠体の内部と連通するように形成されたピン孔と、ピン孔に差し入れたピンの先端の歯根側部分が接するように、支台に形成されたピン接触部とを有し、冠体が支台に被さった状態で義歯に噛み力が加わることで、冠体のテーパー状の内面が支台のテーパー状の外面に押し付けられ、これら外面と内面との間の楔効果による摩擦力によって冠体が支台に固定され、その状態で、ピン孔にピンを押し込んで、ピン先端の歯根側部分を支台のピン接触部に押し付け、ピンがピン接触部から受ける反力によってピンがピン孔を押し上げ、冠体が支台の先端側に移動される、ことを特徴とする可撤去性義歯構造が提供される。
【００１０】
本発明に係る可撤去性義歯構造においては、冠体の材質が、支台の材質よりも軟らかいことが好ましい。
【００１１】
本発明に係る可撤去性義歯構造においては、ピン接触部が、曲面状又はテーパー状に形成されることが好ましい。
【００１２】
本発明に係る可撤去性義歯構造においては、ピン接触部が、支台の頂面に形成されることが好ましい。
【００１３】
本発明に係る可撤去性義歯構造においては、冠体が支台に正規位置まで深く被さった状態のとき、支台の頂面に、冠体の内部天井面に接する台部を形成することが好ましい。
【発明の効果】
【００１４】
本発明に係る可撤去性義歯構造によれば、次のような効果を発揮できる。
（１）冠体が支台に被さった状態で、冠体に装着した義歯に噛み力が加わることで、冠体のテーパー状の内面が支台のテーパー状の外面に押し付けられ、これら外面と内面との間の楔効果による摩擦力によって、冠体が支台に固定される。この結果、義歯を強固に固定できる。
（２）義歯を取り外すときには、義歯および冠体の側面に形成したピン孔にピンを押し込んで、ピン先端の歯根側部分を支台に形成したピン接触部に押し付ける。すると、ピンがピン接触部から受ける反力によってピンがピン孔を押し上げ、冠体が支台の先端側に移動される。よって、義歯を取り外すことができる。
（３）義歯および冠体には、ピンが挿抜可能な小径なピン孔を形成すれば足り、従来のようにカムや楕円シャフトを内包する大きな窓を形成する必要がない。すなわち、義歯を取り外すために義歯に設けられる孔（ピン孔）を可及的に小さくでき、審美性の低下を抑えることができる。
【図面の簡単な説明】
【００１５】
【図１】本発明の一実施形態に係る可撤去性義歯構造の義歯、冠体、支台等を示す説明図である。
【図２】（ａ）は本実施形態に係る可撤去性義歯構造の義歯を固定した状態を示す側断面図、（ｂ）は義歯を取り外す際の側断面図である。
【図３】本実施形態に係る義歯を、専用治具を用いて取り外す様子を示す側断面図である。
【図４】本発明の変形実施形態に係る可撤去性義歯構造の説明図であり、（ａ）は義歯を固定した状態を示す側断面図、（ｂ）は義歯を取り外す際の側断面図である。
【発明を実施するための形態】
【００１６】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（可撤去性義歯構造１の概要）
本発明の一実施形態に係る可撤去性義歯構造を図１〜図３を用いて説明する。図１に示すように、本実施形態に係る可撤去性義歯構造１は、顎２の歯槽骨に埋め込まれた人工の歯根（フィクスチャー）３に装着され、根元から先端に向けて細くテーパー状に形成された支台（アバットメント）４と、支台４に着脱可能に被せられ、内部が支台４の形状に合わせてテーパー状に形成された冠体５と、冠体５に装着された義歯（上部構造物）６と、義歯６および冠体５の側面に、冠体５の内部と連通するように形成されたピン孔７と、ピン孔７に差し入れたピン８の先端８ａの歯根側部分８ｂが接するように、支台４に形成されたピン接触部９と、を有する。ピン孔７は、義歯６のピン孔７ａと冠体５のピン孔７ｂが一直線上に配置されて構成されている。
【００１８】
この可撤去性義歯構造１においては、図２（ａ）に示すように、冠体５が支台４に被さった状態で義歯６に噛み力が加わることで、冠体５のテーパー状の内面が支台４のテーパー状の外面に押し付けられ、これら外面と内面との間の楔効果による摩擦力によって冠体５が支台４に固定される。このように冠体５が摩擦力で支台４に固定された状態において、図２（ｂ）に示すように、ピン孔７にピン８を押し込んで、ピン先端８ａの歯根側部分８ｂを支台４のピン接触部９に押し付けることで、ピン８がピン接触部９から受ける反力によってピン８がピン孔７（特にピン孔７ｂ）を押し上げ、冠体５が支台４の先端側に移動される。なお、支台４が装着される歯根３は、人工歯根（フィクスチャー）３に限られず、天然歯根（生体歯根）でもよい。以下、本実施形態に係る可撤去性義歯構造１の各構成要素について説明する。
【００１９】
（支台４）
図１に示すように、支台４は、略円錐台状に形成されており、側面（外面）が根元から先端に向けて細くテーパー状となっている。かかるテーパー状の支台４は、後述するように、支台４に被せられた冠体５の内部を押し広げる楔として機能し、この楔効果によって冠体５が支台４と一体化する。このように楔として機能する支台４の外面のテーパーの角度は、１度以上６度以下に設定されている。支台４は、本実施形態では人工歯根３とは別体となっていて人工歯根３に取り付けられているが、人工歯根３と一体成形されてもよい。人工歯根３および支台４の材質には、チタン合金が用いられる。
【００２０】
（冠体５）
図１に示すように、冠体５は、下方が開放された中空の円錐台状に形成されており、内部の側面（内面）が支台４の外面に合わせてテーパー状となっている。かかるカバー状の冠体５は、支台４に被せられた状態で義歯６に噛み力が加わることで、テーパー状の支台４が楔の如く機能して冠体５の内面が支台４の外面に押し付けられ、これら外面と内面との摩擦力によって支台４に固定される。冠体５の材質は、支台４とは異なる組成のチタン合金が用いられており、支台４より軟らかい。これにより、冠体５は、テーパー状の支台４の楔効果によって押し広げられた際、適度に変形して支台４への密着性が高まる。
【００２１】
（義歯６）
図１に示すように、義歯６には、冠体５が嵌合される凹部６ａが形成されている。凹部６ａは、冠体５の外側の形状に合わせて、円錐台が窪んだ形状に成されている。義歯６の凹部６ａには、冠体５が接着剤やセメント等で装着される。義歯６の材質には、セラミックや硬質樹脂などが用いられる。
【００２２】
（ピン孔７）
図１、図２（ａ）に示すように、義歯６および冠体５の側面には冠体５の内部と連通するように、ピン孔７（７ａ、７ｂ）が形成されている。義歯６のピン孔７ａと冠体５のピン孔７ｂとは、位置が合わせられ、一直線上に配置されている。詳しくは、冠体５のピン孔７ｂは、冠体５の側面に対して垂直に形成されており、義歯６のピン孔は、冠体５のピン孔７ｂと同芯且つ同径に形成されている。
【００２３】
図２（ａ）に示すように、義歯６のピン孔７ａの開口には、蓋として充填剤１０が充填されている。充填剤１０は、義歯６で咀嚼した飲食物がピン孔７ａの内部に侵入することを防止する機能を有し、義歯６を取り外すときにはドリルによる切削等によって除去される。充填剤１０の色は、義歯６の色（例えば乳白色）に合わせられており、ピン孔７の存在が目立たないようになっている。
【００２４】
（ピン８）
図２（ａ）に示すように、ピン孔７に差し入れられるピン８は、略球面状に形成されたピン先端８ａと、それに繋がるテーパー部８ｃと、それに繋がるストレート部８ｄとを有し、断面は円形である。なお、ピン先端８ａの形状は、略球面形状に限られず、フラット形状或いは多段テーパー形状でも構わない。かかるピン８は、図２（ｂ）に示すように、ピン孔７に押し込まれると、先ず、ピン先端８ａの歯根側部分８ｂが支台４に形成されたピン接触部９に押し付けられ、次いで、テーパー部８ｃがピン接触部９に乗り上がる。このピン８のピン孔７への押し込みに伴って、ピン先端８ａの歯根側部分８ｂおよびテーパー部８ｃがピン接触部９から反力を受け、その反力によってピン８がピン孔７ｂの上部内縁を押し上げ、冠体５が支台４の先端側に移動される。
【００２５】
（ピン接触部９）
図２（ａ）、図２（ｂ）に示すように、支台４には、ピン孔７に差し入れたピン８の先端８ａの歯根側部分８ｂが接するように、ピン接触部９が形成されている。ピン接触部９は、図２（ａ）に示すように、冠体５および義歯６が支台４に正規位置まで深く被さった状態で義歯６の外側からピン孔７ａを覗いたとき、ピン孔７ｂの下部内縁と中心との間に位置するように、支台４に形成されている。
【００２６】
図１に示すように、ピン接触部９は、略円錐台状の支台４の頂面の縁に、周方向に沿って連続的に曲面状に形成された曲面部９ａからなる。これにより、支台４に被せられる冠体５が支台４の中心軸廻り多少回動した場合であっても、ピン孔７ａ、７ｂに差し入れたピン８の先端８ａの歯根側部分８ｂは、確実にピン接触部９に接触する。なお、ピン接触部９の形状は、曲面状（曲面凸状）に限られず、テーパー状（スロープ状）であってもよい。
【００２７】
（台部１１）
図２（ａ）に示すように、支台４の頂面には、冠体５が支台４に正規位置まで深く被さった状態のとき、冠体５の内部天井面に接する台部１１が形成されている。台部１１は、義歯６に加わる噛み力を支持する。台部１１は、図２（ｂ）に示すように、義歯６を取り外す際、ピン孔７ａ、７ｂに差し込まれたピン８の先端８ａと接触しないように、支台４の頂面に形成されている。詳しくは、台部１１の形状は、ピン孔７ａ、７ｂに差し入れられるピン８の通り道となる部分を溝状に形成し、それ以外の部分を支台４の頂面の縁まで延びた形状とすることで、冠体５の内部天井面に接する面積（噛み力を支持する面積）を可及的に増やすようにしてもよく、或いはピン孔７ａ、７ｂに差し入れられたピン８の先端８ａと接触しないように支台４の頂面の中央部のみを隆起した形状としてもよい。
【００２８】
（義歯６の取り付け）
義歯６を取り付けるときには、図２（ａ）に示すように、義歯６を冠体５にセメント等で固定した後、冠体５を支台４に被せる。その状態で、義歯６に噛み力が加わると、冠体５のテーパー状の内面が支台４のテーパー状の外面に押し付けられ、これら外面と内面との間の楔効果による摩擦力によって、冠体５が支台４に固定される。よって、義歯６を強固に固定できる。この状態（通常使用状態）においては、義歯６のピン孔７ａは充填剤１０で塞がれており、義歯６で咀嚼した飲食物がピン孔７ａの内部に侵入することはない。
【００２９】
（義歯６の取り外し）
義歯６を取り外すときには、ピン孔７ａの充填剤１０をドリル等によって除去し、図２（ｂ）に示すように、義歯６および冠体５の側面に形成したピン孔７ａ、７ｂにピン８を押し込んで、ピン先端８ａの歯根側部分８ｂを支台４に形成したピン接触部９に押し付ける。すると、ピン先端８ａの歯根側部分８ｂおよびテーパー部８ｃがピン接触部９に乗り上がり、ピン先端８ａの歯根側部分８ｂおよびテーパー部８ｃがピン接触部９から受ける反力によってピン８がピン孔７ｂを押し上げ、冠体５が支台４の先端側に移動される。これにより、冠体５が支台４から剥がれるように離脱し、義歯６を取り外すことができる。
【００３０】
ここで、図２（ｂ）に示すように、冠体５が支台４の側面から剥がされて離脱するとき、ピン８の先端８ａと台部１１の側面との間には隙間が空いた状態となっている。従って、ピン８による水平方向の力が、台部１１に加わることはない。よって、ピン８から台部１１に水平方向の力（横力）が加わることによる支台４の倒れを回避でき、歯槽骨に埋め込まれた人工歯根（フィクスチャー）３に加わる負荷を軽減できる。
【００３１】
図３に、義歯６を取り外すための専用治具１２を示す。専用治具１２は、鋏のような構造であり、親指で作動される動アーム１３と、中指および人差し指で支持される静アーム１４と、静アーム１４の先端に取り付けたピン８とを有する。動アーム１３と静アーム１４とは、夫々Ｌ字状に成形されており、要１５によって回動自在に連結されている。
【００３２】
義歯６を取り外すときには、先ず、静アーム１４のピン８を義歯６のピン孔７ａに差し入れ、動アーム１３を義歯６のピン孔７ａとは反対側の部分に当てる。その状態で、親指よって動アーム１３を要１５廻りに回動させて義歯６に押し付ける。すると、静アーム１４に対して動アーム１３が要１５廻りに回動することで、静アーム１４のピン８の先端８ａの歯根側部分８ｂがピン接触部９に押し付けられる。ピン８を静アーム１４に取り付けたので、ピン８がピン孔７ａ、７ｂに対してこじられることはなく、ピン８に加わる負担を少なくできる。
【００３３】
なお、静アーム１４の先端にピン８を突出させるためのバネ（図示せず）を収容し、通常時にはバネを縮めてピン８を待機状態にしておき、義歯６を取り外すときにはバネを解放してピン８をバネ力で突出させ、ピン８の先端８ａの歯根側部分８ｂをピン接触部９に衝突させてその衝撃力によって冠体５を支台４から上方に剥がすようにしてもよい。
【００３４】
（作用・効果）
以上説明したように、本実施形態に係る可撤去静義歯構造１においては、義歯６および冠体５には、ピン８を挿抜するための小径なピン孔７ａ、７ｂを形成すれば足り、従来の特許文献１、２に記載された物のようにカムや楕円シャフトを内包する大きな窓を形成する必要がない。すなわち、義歯６を取り外すために義歯６に設けられる孔（ピン孔７ａ）を可及的に小さくでき、審美性の低下を抑えることができる。また、義歯６のピン孔７ａに蓋として設けられる充填材１０は、義歯６の色に合わせた乳白色なので、ピン孔７ａの存在が目立たない。
【００３５】
冠体５の材質（チタン合金）は、支台４の材質（別種のチタン合金）より軟らかい。このため、義歯６に噛み力が加わって冠体５がテーパー状に形成された支台４の楔効果によって押し広げられた際、冠体５が適度に変形し、冠体５の内面と支台４の外面との密着性が高まる。この結果、冠体５の内面と支台４の外面との間の摩擦力が増大し、義歯６を強固に固定できる。
【００３６】
ピン８の先端８ａの歯根側部分８ｂが押し付けられるピン接触部６は、曲面状に形成されている。よって、ピン先端８ａの歯根側部分８ｂは、ピン接触部９に引っ掛かることはなく、押し込みに伴ってピン接触部９を滑り、ピン接触部９からピン先端８ａの歯根側部分８ｂに適切に反力が加わる。この反力は、ピン先端８ａの歯根側部分８ｂがピン接触部９から受ける垂直抗力であり、ピン接触部９が曲面状に形成されていることから、その曲面の接線に垂直な方向（略鉛直上方）に生じる。この結果、ピン８によってピン孔７ｂが適切に押し上げられ、冠体５を支台４の先端側に移動させて取り外すことができる。
【００３７】
ピン接触部９は、支台４の頂面に形成されている。よって、図２（ｂ）、図３に示すように、ピン８を義歯６および冠体５のピン孔７ａ、７ｂに差し入れた状態として、義歯６および冠体５を持ち上げて支台４から取り外すとき、ピン８の先端８ａが支台４に引っ掛かることはなく、スムーズに取り外すことができる。
【００３８】
図２（ａ）に示すように、支台４の頂面には、冠体５が支台４に正規位置まで深く被さった状態のとき、冠体５の内部天井面に接する台部１１が形成されている。この台部１１によって、義歯６に加わる噛み力の一部を支持できるため、噛み力によって義歯６に加わる負担を軽減できる。
【００３９】
（変形実施形態）
図４に、本発明の変形実施形態に係る可撤去性義歯構造１ａを示す。この変形実施形態は、義歯６および冠体５に形成されたピン孔７ａ、７ｂの位置が、図２に示す前実施形態よりも下部に形成されている点が前実施形態と相違しており、その他は前実施形態と同様である。よって、相違点であるピン孔７ａ、７ｂの位置のみについて説明し、その他の構成要素については前実施形態と同一の符号を付して説明を省略する。
【００４０】
図４（ａ）に示すように、義歯６および冠体５に形成されるピン孔７ａ、７ｂは、義歯６の下部に配設されている。すなわち、ピン孔７ａ、７ｂは、義歯６の高さ方向の中央と義歯６の下端（歯茎側端）との間の部分に、配設されている。このピン孔７ａ、７ｂの位置に合わせて、支台４の側面の下部には、凹部１６が周方向に沿ってリング溝状に形成されており、その凹部１６に、ピン接触部９が形成されている。ピン接触部９は、前実施形態と同様に曲面状に形成されている。
【００４１】
この変形実施形態においては、前実施形態と同様の作用・効果を奏する他、ピン孔７ａの位置が義歯６の下部となっているため、ピン孔７ａが目立ち難く、審美性がより向上する。
【００４２】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。例えば、ピン８は、断面円形のストレートピンの先端を丸めた形状でもよい。
【産業上の利用可能性】
【００４３】
本発明は、義歯を着脱する可撤去性義歯構造に利用できる。
【符号の説明】
【００４４】
１  可撤去性義歯構造
３  人工歯根（フィクスチャー）
４  支台（アバットメント）
５  冠体
６  義歯（上部構造物）
７  ピン孔
７ａ  義歯のピン孔
７ｂ  冠体のピン孔
８  ピン
８ａ  ピン先端
８ｂ  ピン先端の歯根側部分
９  ピン接触部
１１  台部
【図１】
2017184934.tif 000003
【図２】
2017184934.tif 000004
【図３】
2017184934.tif 000005
【図４】
2017184934.tif 000006